(57)【要約】【課題】上階側床パネルの配置時に、上階側床パネルを下階壁組の隅部に精度良く直角配置でき、しかも床パネル配置に要する作業時間を短縮することができる上階側床パネル配置用位置決め部材及びこれを用いた上階側床組構造を得る。【解決手段】上階側床パネル２４が配置される前に、第１の壁パネル１２と第２の壁パネル１４とが直角に配置されて構成された外壁隅部１０の上端部に直角パーツ４０を予め固定しておき、これを基準として上階側床パネル２４を配置するようにした。【選択図】図１
2008150873.tif 000002
【特許請求の範囲】
【請求項１】
上階側床パネルが配置される前に、下階側の外壁を構成する第１の壁パネルと第２の壁パネルとが直角に配置される壁隅部の上端部に予め固定され、
第１の壁パネルの上端部に水平に配置される第１の構造材の外側縁又は内側縁に沿って配置される第１の位置決め部材と、この第１の位置決め部材と直角に配置された状態で連結されると共に第２の壁パネルの上端部に水平に配置される第２の構造材の外側縁又は内側縁に沿って配置される第２の位置決め部材と、を有することを特徴とする上階側床パネル配置用位置決め部材。
【請求項２】
前記第１の位置決め部材及び前記第２の位置決め部材は、前記上階側床パネルの根太を兼ねている、
ことを特徴とする請求項１記載の上階側床パネル配置用位置決め部材。
【請求項３】
前記上階側床パネルの根太は、フランジ幅が略同一に設定された一対の根太材を背中合わせに配置した側根太と、一本の根太材を使って構成された端根太と、を含んで構成されており、
前記第１の位置決め部材は側根太を構成する一対の根太材の一方の端部に形成された第１の切除部に相対的に挿入されると共に、前記第２の位置決め部材は端根太を構成する一本の根太材の端部に形成された第２の切除部に相対的に挿入される、
ことを特徴とする請求項２記載の上階側床パネル配置用位置決め部材。
【請求項４】
前記第２の位置決め部材における第１の位置決め部材と反対側の端部には、当該第２の位置決め部材と前記端根太を構成する根太材とを接合する接合部材が予め収納されている、
ことを特徴とする請求項３記載の上階側床パネル配置用位置決め部材。
【請求項５】
下階側の外壁を構成する第１の壁パネルと第２の壁パネルとが直角に配置される壁隅部の上端部に固定された請求項２乃至請求項４のいずれか一項に記載された上階側床パネル配置用位置決め部材と、
この上階側床パネル配置用位置決め部材を床根太として用いた上階側床パネルと、
を有することを特徴とする上階側床組構造。
【発明の詳細な説明】
【技術分野】
【０００１】
本発明は、上階側床パネル配置用位置決め部材及びこれを用いた上階側床組構造に関する。
【背景技術】
【０００２】
プラットホーム工法によってスチールハウス等の建物を構築する場合、下階側壁パネルを組み立てた後に上階側床パネルを据付け、この上階側床パネルを作業床にして上階側壁パネルを組み立てていく手順になる。
【０００３】
この場合、上階側床パネルの配置時に、重量物である上階側床パネルをクレーンで吊り上げた状態で、下階側の外壁隅部の直角度を調整しながら、上階側床パネルを配置していく必要がある。このため、上階側床パネルの配置作業に長時間を要していた。
【特許文献１】特開平７−３１７２７８号公報
【発明の開示】
【発明が解決しようとする課題】
【０００４】
本発明は上記事実を考慮し、上階側床パネルの配置時に、上階側床パネルを下階壁組の隅部に精度良く直角配置でき、しかも床パネル配置に要する作業時間を短縮することができる上階側床パネル配置用位置決め部材及びこれを用いた上階側床組構造を得ることが目的である。
【課題を解決するための手段】
【０００５】
請求項１の発明に係る上階側床パネル配置用位置決め部材は、上階側床パネルが配置される前に、下階側の外壁を構成する第１の壁パネルと第２の壁パネルとが直角に配置される壁隅部の上端部に予め固定され、第１の壁パネルの上端部に水平に配置される第１の構造材の外側縁又は内側縁に沿って配置される第１の位置決め部材と、この第１の位置決め部材と直角に配置された状態で連結されると共に第２の壁パネルの上端部に水平に配置される第２の構造材の外側縁又は内側縁に沿って配置される第２の位置決め部材と、を有することを特徴とする。
【０００６】
請求項２の発明は、請求項１記載の上階側床パネル配置用位置決め部材において、前記第１の位置決め部材及び前記第２の位置決め部材は、前記上階側床パネルの根太を兼ねている、ことを特徴とする。
【０００７】
請求項３の発明は、請求項２記載の上階側床パネル配置用位置決め部材において、前記上階側床パネルの根太は、フランジ幅が略同一に設定された一対の根太材を背中合わせに配置した側根太と、一本の根太材を使って構成された端根太と、を含んで構成されており、前記第１の位置決め部材は側根太を構成する一対の根太材の一方の端部に形成された第１の切除部に相対的に挿入されると共に、前記第２の位置決め部材は端根太を構成する一本の根太材の端部に形成された第２の切除部に相対的に挿入される、ことを特徴とする。
【０００８】
請求項４の発明は、請求項３記載の上階側床パネル配置用位置決め部材において、前記第２の位置決め部材における第１の位置決め部材と反対側の端部には、当該第２の位置決め部材と前記端根太を構成する根太材とを接合する接合部材が予め収納されている、ことを特徴とする。
【０００９】
請求項５の発明に係る上階側床組構造は、下階側の外壁を構成する第１の壁パネルと第２の壁パネルとが直角に配置される壁隅部の上端部に固定された請求項２乃至請求項４のいずれか一項に記載された上階側床パネル配置用位置決め部材と、この上階側床パネル配置用位置決め部材を床根太として用いた上階側床パネルと、を有することを特徴とする。
【００１０】
請求項１記載の本発明によれば、第１の壁パネルと第２の壁パネルを用いて下階側の外壁（下階壁組）が構成された後に上階側床パネルが配置される。
【００１１】
ここで、本発明では、上階側床パネルが配置される前に、第１の壁パネルと第２の壁パネルとが直角に配置されることにより形成された壁隅部の上端部に上階側床パネル配置用位置決め部材が予め固定される。固定に際しては、上階側床パネル配置用位置決め部材の第１の位置決め部材が第１の壁パネルの上端部に配置される第１の構造材の外側縁又は内側縁に沿って配置される。同様に、第２の位置決め部材が第２の壁パネルの上端部に配置される第２の構造材の外側縁又は内側縁に沿って配置される。これにより、第１の壁パネルと第２の壁パネルとの直角度を精度良く出すことができる。なお、上階側床パネル配置用位置決め部材は上階側床パネルに比べれば非常に軽量なので、上階側床パネル配置用位置決め部材の取付作業を容易かつ安全に行うことができる。
【００１２】
上記の如くして壁隅部の上端部に固定された上階側床パネル配置用位置決め部材を基準にして上階側床パネルを壁隅部から順次配置していけば、第１の壁パネルと第２の壁パネルとの直角度を調整する手間を大幅に省くことができるので、非常に短時間で上階側床パネルの配置作業を完了することができる。
【００１３】
請求項２記載の本発明によれば、上階側床パネル配置用位置決め部材を構成する第１の位置決め部材及び第２の位置決め部材が上階側床パネルの根太を兼ねている。つまり、本発明の上階側床パネル配置用位置決め部材は位置決め金物ではなく建物を構築するための構造材であり、言い換えると、本発明は構造材を使って上階側床パネル配置用位置決め部材を成立させたものといえる。
【００１４】
請求項３記載の本発明によれば、上階側床パネルの根太は一対の根太材を背中合わせに配置した側根太と一本の根太材を使って構成された端根太とを含んで構成されており、側根太に形成された第１の切除部に第１の位置決め部材が相対的に挿入されると共に、端根太に形成された第２の切除部に第２の位置決め部材が相対的に挿入される。
【００１５】
このように予め第１の切除部及び第２の切除部を設けておくことにより、第１の切除部と第１の位置決め部材とを対応させると共に第２の切除部と第２の位置決め部材を対応させながら上階側床パネルをクレーンで吊りながら降ろせば、上階側床パネルを配置した時点で上階側床パネルの位置決め作業が完了すると共に、根太材と第１の位置決め部材、第２の位置決め部材との連続性も担保される。
【００１６】
請求項４記載の本発明によれば、上階側床パネルが配置された後、第２の位置決め部材における第１の位置決め部材と反対側の端部に予め収納された接合部材を用いて、第２の位置決め部材と端根太の根太材とを接合することができる。
【００１７】
請求項５記載の本発明によれば、下階側の外壁を構成する第１の壁パネルと第２の壁パネルとが直角に配置される壁隅部の上端部に請求項２乃至請求項４のいずれか一項に記載された上階側床パネル配置用位置決め部材が固定された後、上階側床パネル配置用位置決め部材を基準にして上階側床パネルを容易かつ正確に配置することができる。
【発明の効果】
【００１８】
以上説明したように、請求項１記載の本発明に係る上階側床パネル配置用位置決め部材は、上階側床パネルの配置時に、上階側床パネルを下階壁組の隅部に精度良く直角配置でき、しかも床パネル配置に要する作業時間を短縮することができるという優れた効果を有する。
【００１９】
請求項２記載の本発明に係る上階側床パネル配置用位置決め部材は、元々必要な構造材を使って上階側床パネル配置用位置決め部材を構成したので、部材に無駄が無く、経済的であるという優れた効果を有する。
【００２０】
請求項３記載の本発明に係る上階側床パネル配置用位置決め部材は、上階側床パネルを吊り降ろすと同時に上階側床パネルの位置決め作業が完了すると共に根太材と第１の位置決め部材、第２の位置決め部材との連続性を担保することができ、その結果、上階側床パネルの配置に要する作業時間を更に短縮することができるという優れた効果を有する。
【００２１】
請求項４記載の本発明に係る上階側床パネル配置用位置決め部材は、第２の位置決め部材と端根太の根太材とを迅速かつ容易に接合することができ、作業効率の向上及び床パネル配置に要する作業時間の更なる短縮を図ることができるという優れた効果を有する。
【００２２】
請求項５記載の本発明に係る上階側床組構造は、上階側床パネルの配置時に、上階側床パネルを下階壁組の隅部に精度良く直角配置でき、しかも床パネル配置に要する作業時間を短縮することができるという優れた効果を有する。
【発明を実施するための最良の形態】
【００２３】
以下、図１〜図５を用いて、本発明に係る上階側床パネル配置用位置決め部材及びこれを用いた上階側床組構造の一実施形態について説明する。
【００２４】
（本実施形態の全体構成）
図１には、上階側床パネルを下階側の外壁の隅部に組み付ける前の状態が斜視図で示されている。また、図２には、上階側床パネルを下階側の外壁の隅部に組み付けた状態が斜視図で示されている。さらに、図３には、上階床配置図が示されている。
【００２５】
図１（及び図２）に示されるように、下階側の外壁隅部１０は、第１の壁パネル１２と第２の壁パネル１４とを直角に配置することにより構成されている。第１の壁パネル１２は、壁パネル上縁側に配置された上枠ランナー１６と、壁パネル下縁側に配置された下枠ランナー（図示省略）と、上枠ランナー１６と下枠ランナーとを壁パネル高さ方向に繋ぐ複数本のスタッド（図示省略）と、を構造材として備えている。なお、一例として、上枠ランナー１６及び下枠ランナーはいずれも溝形鋼で構成されており、スタッドはリップ付き溝形鋼で構成されている。また、上記第１の壁パネル１２の屋外側の面には、外壁面材である合板１８が取り付けられている。
【００２６】
第２の壁パネル１４も第１の壁パネル１２と同様に構成されており、上枠ランナー２０、下枠ランナー（図示省略）、複数本のスタッド（図示省略）、及び合板２２といった構成要素を備えている。
【００２７】
一方、上階側床パネル２４は、所定の間隔で平行に配置された複数本の側根太２６と、これらの側根太２６の長手方向の端部側を塞ぐように直角に配置された端根太２８と、を構造材として備えている。なお、一例として、側根太２６は、二本のリップ付き溝形鋼３０、３２を背中合わせに配置して、双方のウェブ同士をビスで接合することにより構成されている。また、側根太２６の長手方向の適宜位置には、リップ付き溝形鋼によって構成された補強金物３４が立設状態で配置されている。これに対し、端根太２８は、一本の溝形鋼３６によって構成されている。さらに、上記構成の上階側床パネル２４の上面側には、上階側床面材であるパーチクルボード３８が取り付けられている。
【００２８】
図３に示されるように、本実施形態では、上記構成の上階側床パネル２４が合計６枚配置されている。なお、図３の紙面左右方向（矢印Ａ方向）が上階側床パネル２４の長辺方向であり、又図３の紙面上下方向（矢印Ｂ方向）が上階側床パネル２４の短辺方向である。
【００２９】
（本実施形態の要部構成）
上述した下階側の三箇所（上階側床パネル２４を配置する際の位置決め基準となる箇所）の外壁隅部１０には、上階側床パネル配置用位置決め部材としての直角パーツ４０が配置されており、以下に詳細に説明する。
【００３０】
図１及び図２に示されるように、直角パーツ４０は、第１の壁パネル１２の上枠ランナー１６上に設置される第１パーツ部４２と、この第１パーツ部４２と直角に配置されて第２の壁パネル１４の上枠ランナー２０上に設置される第２パーツ部４４と、によって構成されている。第１パーツ部４２は、第１の壁パネル１２の上枠ランナー１６の屋外側の端縁（外側縁）に沿って配置されている。同様に、第２パーツ部４４は、第２の壁パネル１４の上枠ランナー２０の屋外側の端縁（外側縁）に沿って配置されている。
【００３１】
第１パーツ部４２は、リップ付き溝形鋼で構成された第１支持体４６と、この第１支持体４６の長手方向の両端部に立設状態で配置された一対の補強体４８と、によって構成されている。なお、第１支持体４６は、ウェブ４６Ａ、上フランジ４６Ｂ、下フランジ４６Ｃ、上リップ４６Ｄ、及び下リップ４６Ｅによって構成されており、屋外側が開放側となるように配置されている。補強体４８も、ウェブ４８Ａ、左フランジ４８Ｂ、右フランジ４８Ｃ、左リップ４８Ｄ、及び右リップ４８Ｅによって構成されたリップ付き溝形鋼で構成されている。補強体４８の左リップ４８Ｄ及び右リップ４８Ｅが第１支持体４６のウェブ４６Ａに接合されており、又補強体４８のウェブ４８Ａの上端部及び下端部が第１支持体４６の上リップ４６Ｄ、下リップ４６Ｅに接合されている。
【００３２】
一方、第２パーツ部４４は、溝形鋼で構成された第２支持体５０と、この第２支持体５０の長手方向の一端部に開閉可能に収納された接合部材５２と、によって構成されている。第２支持体５０は、ウェブ５０Ａ、上フランジ５０Ｂ、及び下フランジ５０Ｃによって構成されている。第２支持体５０の長手方向の他端部は、第１パーツ部４２の第１支持体４６の長手方向の端部に重合されて接合されている。これにより、平面視で見ると、第１パーツ部４２及び第２パーツ部４４によってアングル形状を成す直角パーツ４０が形成されている。
【００３３】
図４にも示されるように、接合部材５２は、ウェブ５２Ａ、上フランジ５２Ｂ、下フランジ５２Ｃ、上リップ５２Ｄ、及び下リップ５２Ｅによって構成されたリップ付き溝形鋼で構成されている。因みに、図４（Ａ）に示される状態が接合部材５２の収納状態（図１図示状態）であり、図４（Ｂ）に示される状態が接合部材５２の使用状態（図２図示状態）である。接合部材５２の上フランジ５２Ｂ及び下フランジ５２Ｃの片側の端部は平面視で三角形状に形成されており、この部分が第２支持体５０の上フランジ５０Ｂ及び下フランジ５０Ｃに支軸５４（図１、図２参照）回りに回動可能（開閉可能）に支持されている。
【００３４】
また、図１に示されるように、外壁隅部１０に配置される上階側床パネル２４の側根太２６における屋外側に位置するリップ付き溝形鋼３０の長手方向の端部は、第１パーツ部４２の長手方向寸法分だけ切除されている（以下、この切除された部分を「第１切除部５６」という）。当該上階側床パネル２４が外壁隅部１０の上端部に組み付けられた状態では、第１切除部５６に第１パーツ部４２が相対的に挿入されて納まるようになっている。すなわち、一対のリップ付き溝形鋼３０、３２から成る側根太２６の幅方向寸法Ｘは第１の壁パネル１２の上枠ランナー１６の幅方向寸法Ｙに略一致されており、その１／２の長さが第１パーツ部４２の幅方向寸法Ｚ（＝リップ付き溝形鋼３０、３２のそれぞれの幅方向寸法）に設定されている。なお、第１パーツ部４２における第１支持体４６のウェブ４６Ａと屋内側に配置されたリップ付き溝形鋼３２のウェブとがビス締めされることにより、両者は接合されている。
【００３５】
同様に、外壁隅部１０に配置される上階側床パネル２４の端根太２８の長手方向の端部は、第２パーツ部４４の長手方向寸法分だけ切除されている（以下、この切除された部分を「第２切除部５８」という）。当該上階側床パネル２４が外壁隅部１０の上端部に組み付けられた状態では、第２切除部５８に第２パーツ部４４が納まるようになっている。すなわち、リップ付き溝形鋼３６の幅方向寸法Ｐは、第２パーツ部４４の幅方向寸法Ｑに略一致されている。なお、第２パーツ部４４の第２支持体５０のウェブ５０Ａに接合部材５２が支軸５４回りに１８０度回動されることにより、接合部材５２のウェブ５２Ａとリップ付き溝形鋼３６のウェブとが面接触状態で重なり、この状態でビス締めされることにより、接合部材５２を介して第２パーツ部４４とリップ付き溝形鋼３６（端根太２８）とが接合されている。
【００３６】
上記により、第１パーツ部４２は側根太２６の屋外側のリップ付き溝形鋼３０に長手方向に連続して配置され、側根太２６の一部を兼ねている。また、第２パーツ部４４は端根太２８を構成するリップ付き溝形鋼３６に長手方向に連続して配置され、端根太２８の一部を兼ねている。そして、上階側床パネル２４が外壁隅部１０に組み付けられた状態では、第１パーツ部４２及び第２パーツ部４４から成る直角パーツ４０も含めて上階側床組６０が形成される構成である。
【００３７】
（作用・効果）
次に、本実施形態の作用並びに効果について説明する。
【００３８】
プラットホーム工法で住宅等の建物を建てる場合、まず基礎及び土台を構築した後、一階床組を組立て、これをプラットホーム（作業台）として、一階壁組を建て起こす。次に、二階床組を組立て、これをプラットホーム（作業台）として、二階壁組を建て起こす。その後、天井枠組を組立て、小屋組を設置するといった手順になる。
【００３９】
ここで、本実施形態では、第１の壁パネル１２及び第２の壁パネル１４によって構成された外壁隅部１０を含む一階壁組を組み立てた後、上階側床パネル２４を配置する前に、直角パーツ４０が外壁隅部１０の上端部に設置される。なお、この時点では、接合部材５２は第２パーツ部４４内に収納された状態（図１及び図４（Ａ）図示状態）とされる。直角パーツ４０が設置された状態では、直角パーツ４０の第１パーツ部４２が第１の壁パネル１２の上枠ランナー１６の外側縁に沿って配置され、第２パーツ部４４が第２の壁パネル１４の上枠ランナー２０の外側縁に沿って配置される。逆に言えば、直角パーツ４０を壁パネルの直角度の基準として用い、第１の壁パネル１２と第２の壁パネル１４との直角配置の精度が調整される。なお、直角パーツ４０は上階側床パネル２４に比べれば非常に軽量な部材であるので、取付作業を容易かつ安全に行うことができる。
【００４０】
次に、外壁隅部１０の上端部に設置された直角パーツ４０を位置決めの基準として上階側床パネル２４をクレーンで吊り込んで配置していく。本実施形態では、図３に示されるように、三箇所の出隅に直角パーツ４０が予め設置されるので、まずこの三箇所の出隅に上階側床パネル２４が配置される。上階側床パネル２４が配置された後、第２パーツ部４４内に収納されていた接合部材５２を支軸５４回りに回動させて、端根太２８を構成するリップ付き溝形鋼３６に密着した使用状態（図２及び図４（Ｂ）図示状態）とし、ビス締めすることにより両者が接合（連結）される。これにより、三箇所の出隅に上階側床パネル２４が精度良く位置決めされた状態で配置される。その後、直角パーツ４０を用いて配置された三枚の上階側床パネル２４を新たな基準として、残りの上階側床パネル２４が配置されていく（なお、本実施形態では、上階側床パネル２４は、一例として図３に付記した（１）から（６）の順に配置される）。
【００４１】
以上により、本実施形態によれば、上階側床パネル２４の配置時に、上階側床パネル２４を下階壁組の外壁隅部１０に精度良く直角配置でき、しかも床パネル配置に要する作業時間を短縮することができる。
【００４２】
また、本実施形態では、直角パーツ４０を予め設置した後、図１図示の上階側床パネル２４を組み付けると、直角パーツ４０を構成する第１パーツ部４２が側根太２６の第１切除部５６に相対的に進入し、第１パーツ部４２のリップ付き溝形鋼３０を側根太２６の屋内側に配置されたリップ付き溝形鋼３２にビス締めすることにより、第１パーツ部４２が側根太２６の屋外側に配置されたリップ付き溝形鋼３０と長手方向に連続して一体を成し、側根太２６の一部となる。同様に、直角パーツ４０を構成する第２パーツ部４４が端根太２８を構成するリップ付き溝形鋼３６の第２切除部５８に相対的に進入し、接合部材５２を介して相互に接合（連結）されることにより、第２パーツ部４４が端根太２８と長手方向に連続して一体を成し、端根太２８の一部となる。つまり、直角パーツ４０は、位置決め金物ではなく建物を構築するための構造材として機能する。言い換えると、本実施形態の直角パーツ４０は、（上階側床パネル２４の）構造材を使って上階側床パネル配置用位置決め部材を成立させたものといえる。その結果、本実施形態によれば、部材に無駄が無く、経済的であるというメリットが得られる。
【００４３】
さらに、前記のように、側根太２６、端根太２８に第１切除部５６、第２切除部５８を予め設けておくことにより、上階側床パネル２４をクレーンで吊り降ろすと同時に上階側床パネル２４の位置決めがなされると共に側根太２６及び端根太２８と直角パーツ４０との連続性も確保される。よって、この点（つまり、上階側床パネル２４の配置と同時に第１切除部５６、第２切除部５８が第１パーツ部４２、第２パーツ部４４によって埋められるので、上階側床パネル２４の配置作業と直角パーツ４０を基準とした位置決め作業とが同時になされるという点）からも、上階側床パネル２４の配置に要する作業時間を更に短縮することができる。
【００４４】
また、本実施形態では、上階側床パネル２４の配置後に、接合部材５２を第２パーツ部４４内への収納状態から使用状態にしてビス締めすれば、第２パーツ部４４と端根太２８を構成するリップ付き溝形鋼３６とを接合することができる。このため、第２パーツ部４４と端根太２８とを迅速かつ容易に接合することができ、この点からも、作業効率の向上及び床パネル配置に要する作業時間の短縮を図ることができる。
【００４５】
なお、上述した本実施形態では、図３に示されるような上階側床パネル２４の配置を採ったが、これに限らず、図５に示されるように、建物にキャンチ部（張り出し）６２がある場合には、当該キャンチ部６２がない長辺側の両端部に直角パーツ４０を配置すればよい。この場合、図５に付記した（１）から（６）の順に上階側床パネル２４を配置するようにすれば、床全体の矩（かね）を出すことができる。
【００４６】
〔開示例〕
以下、図６〜図８を用いて、上記実施形態とは異なる床構造を開示を目的として説明する。なお、前述した本実施形態と同一構成部分については、同一番号を付してその説明を省略する。
【００４７】
図６〜図８に示されるように、この開示例では、建物にキャンチ部（張り出し）６２がある場合において、当該キャンチ部６２がない長辺上に長尺状の床梁を兼ねたガイドレール７０を、上階側床パネル２４の配置前に予め設置し、このガイドレール７０を基準にして上階側床パネル２４を図６に付記した（１）から（７）の順に配置するようにすれば、上階側床パネル２４を精度良く短時間で配置することができる、というものである。
【００４８】
〔上記実施形態の補足説明〕
上述した本実施形態では、直角パーツ４０の第１パーツ部４２の外側縁と第１の壁パネル１２の上枠ランナー１６の外側縁とが一致するように配置すると共に、第２パーツ部４４の外側縁と第２の壁パネル１４の上枠ランナー２０の外側縁とが一致するように配置する構成を採ったが、これに限らず、第１パーツ部４２の内側縁と第１の壁パネル１２の上枠ランナー１６の内側縁とが一致するように配置すると共に、第２パーツ部４４の内側縁と第２の壁パネル１４の上枠ランナー２０の内側縁とが一致するように配置する構成を採ってもよい。
【００４９】
また、上述した本実施形態では、第１パーツ部４２及び第２パーツ部４４が上階側床パネル２４の構造材である側根太２６及び端根太２８を兼ねる構成を採ったが、請求項１記載の本発明には、直角パーツの第１の位置決め部材及び第２の位置決め部材が上階側床パネルの構造材としての機能を持たない構成も含まれる。
【００５０】
さらに、上述した本実施形態では、接合部材５２が第２パーツ部４４に支軸５４回りに回動可能とされることで接合部材５２が第２パーツ部４４に予め一体的に設けられていたが、これに限らず、接合部材を反転させた状態（図２図示状態の向き）でかつスライド可能に第２パーツ部４４に支持することで接合部材を第２パーツ部４４に予め収納可能とする構成にしてもよい。また、接合部材は必ずしも第２パーツ部に一体化されている必要はなく、建築地で取り付けてもよい。
【００５１】
また、上述した本実施形態では、スチールハウスをプラットホーム工法で構築することを想定して説明したが、これに限らず、外壁隅部上に上階側床パネルをクレーン等で吊り上げて配置していくものであれば本発明は適用可能である。
【図面の簡単な説明】
【００５２】
【図１】第１実施形態に係り、外壁隅部の上端部に直角パーツ設置後、上階側床パネルを配置する前の状態を示す要部拡大斜視図である。
【図２】図１に示される状態から上階側床パネルを配置した組付後の状態を示す要部拡大斜視図である。
【図３】上階側床パネルのパネル配置図である。
【図４】直角パーツに設けられた接合部材を単品で示す斜視図であり、（Ａ）は収納時の斜視図、（Ｂ）は使用時の斜視図である。
【図５】上階側床パネルのパネル配置の変形例を示すパネル配置図である。
【図６】開示例に係り、上階側床パネルの長辺側に長尺状のガイドレールを配置した構成のパネル配置図である。
【図７】図６に示されるガイドレールを使った上階側床パネルの位置決めの仕方を示す要部拡大斜視図である。
【図８】（Ａ）は上階側床パネルの組付後の状態を示す側面図であり、（Ｂ）は上階側床パネルの組付前の状態を示す側面図である。
【符号の説明】
【００５３】
１０    外壁隅部
１２    第１の壁パネル
１４    第２の壁パネル
１６    上枠ランナー（第１の構造材）
２０    上枠ランナー（第２の構造材）
２４    上階側床パネル
２６    側根太（根太）
２８    端根太（根太）
３０    リップ付き溝形鋼
３２    リップ付き溝形鋼
３６    リップ付き溝形鋼
４０    直角パーツ（上階側床パネル配置用位置決め部材）
４２    第１パーツ部（第１の位置決め部材）
４４    第２パーツ部（第２の位置決め部材）
５２    接合部材
５４    支軸
５６    第１切除部
５８    第２切除部
６０    上階側床組
【図１】
2008150873.tif 000003
【図２】
2008150873.tif 000004
【図３】
2008150873.tif 000005
【図４】
2008150873.tif 000006
【図５】
2008150873.tif 000007
【図６】
2008150873.tif 000008
【図７】
2008150873.tif 000009
【図８】
2008150873.tif 000010